【手続補正書】
【提出日】平成17年5月11日(2005.5.11)
【手続補正１】
【補正対象書類名】明細書
【補正対象項目名】特許請求の範囲
【補正方法】変更
【補正の内容】
【特許請求の範囲】
【請求項１】  垂直方向に隣接して種々の高さ位置でリフレタク(11)の前方に少なくとも一部が配置された多数の放射器配置(15,15',115,115')を備え、
放射器装置(15,15',115,115')は、それにより二つの互いに垂直である偏波を受信しかつ／又は送信でき、偏波が垂直に対してほぼ一方で＋４５度、他方で−４５度の傾斜角度で整列して構成され且つ配置され、
これにより、放射器装置(15,15',115,115')は、
（ａ）特に十字形又は十字状のダイポール構造体(115)の形態の、又は正方形のダイポール構造体(15)のようなダイポール構造体、及び／又は
（ｂ）少なくとも二つ又は４つの給電点(13',113')を備えたパッチ放射器(15,115')とを含み、
それにより種々の下降角度が調整できかつ少なくとも一つの移相機又は移相機構造体群(27,127;27'',127',127'')を備えた下降可能な主ローブを備えた二重偏波アンテナアレイにおいて、
少なくとも一方又は好ましくは双方の偏波に関して、水平又はアジマス方向での水平な全放射電磁界パターンの下降角度に依存する離反移動を最小化し、阻止し又は過補整する補整装置又は補償装置が備えられ、
補整−放射器装置又は補整−放射器配置は、
（ａ）水平に配置され、少なくとも一対のダイポール放射器(15,13,3a,3'a,3b,3'b,3c,3'c,3d,3'd;215;415;416)の少なくとも二つのダイポール放射器(15,13,3a,3'a,3b,3'b,3c,3'c,3d,3'd;215;415;416)が種々に調整可能な下降角度に依存する位相差で給電され、少なくとも一対の互いに平行に整列されたダイポール放射器(15,13,3a,3'a,3b,3'b,3c,3'c,3d,3'd;215;415;416)、及び／又は
（ｂ）少なくとも二つの給電点(13')を備え、少なくとも一対のパッチ放射器(15',13';215';415';416')又は少なくとも一つのパッチ放射器(15')の少なくとも二つの給電点(13')が水平に配置され、種々に調整可能な下降角度に依存する位相差で給電され、少なくとも一対のパッチ放射器(15',13';215';415';416')又は少なくとも一つのパッチ放射器(15')とを含むことを特徴とする二重偏波アンテナアレイ。
【請求項２】  下降角度に依存する位相差で制御されるダイポール放射器（3a,3'a;3b,3'b;3c,3'c;3d,3'd;215;415)は、好ましくはダイポール正方形形態の正方形のダイポール構造体を構成する請求項１に記載の二重偏波アンテナアレイ。
【請求項３】  下降角度に依存する位相差で制御されるダイポール放射器(3a,3'a;3b,3'b;3c,3'c;3d,3'd;215;415)は、好ましくは二つの少なくとも水平成分により互いにずれて配置された十字ダイポール形態の十字形のダイポール構造体を構成する請求項１に記載の二重偏波アンテナアレイ。
【請求項４】  少なくとも一対の互いに平行に整列されたダイポール放射器(15,13,3a,3'a,3b,3'b,3c,3'c,3d,3'd;215,215';415;416)又は少なくとも予め設けられた一対のパッチ放射器(15',13';215';415';416')又は少なくとも一つのパッチ放射器(15')は、少なくとも二つの給電点(13')により、垂直な中心対称面(245)に対して対称に配置される請求項１〜３の何れか１項に記載の二重偏波アンテナアレイ。
【請求項５】  ダイポール放射器(3a〜3'd;203a〜203d;215;415)及び／又はパッチ放射器(15',115',215',415',416')の関連する給電点は、好ましくは移相機構造体群の形態の移相機(27;127)を介して種々に調整可能な位相で給電される請求項１〜４の何れか１項に記載の二重偏波アンテナアレイ。
【請求項６】  特に使用される移相機構造体群(27;127)の形態で、出力分配を実施でき、それにより補整装置又は補償装置に関連するダイポール及び／又はパッチ放射器(3a,3'a;3b,3'b;3c,3'c;3d,3'd;215,215';415,415')が、アンテナアレイの残りの放射器配置に対して種々の出力を供給できる請求項１〜５の何れか１項に記載の二重偏波アンテナアレイ。
【請求項７】  少なくとも二つのダイポール正方形(15)を有する補整装置又は補償装置を備えたアンテナアレイの場合に、双方のダイポール正方形(15)のそれぞれ平行なより近くに位置するダイポール(3a,3b)は、共通の接続ライン(19,119)を介して互いに接続され、好ましくは合流点(21,121)を介して関連する給電ライン(31,131)に共通接続される請求項１〜６の何れか１項に記載の二重偏波アンテナアレイ。
【請求項８】  少なくとも二つのダイポール正方形(15)を備えたアンテナアレイの場合に、共通に接続されるダイポール(3a,3b;3c,3d)に対してそれぞれ平行なダイポール(3'a,3'b;3'c,3'd)は、移相機(27',127')の別の入力端子(27'a,27'b,127'a,127'b)に接続される請求項７に記載の二重偏波アンテナアレイ。
【請求項９】  それぞれ二対の給電点(13')を有する少なくとも二つのパッチ放射器(15')を備えた補整装置又は補償装置を備えたアンテナアレイの場合に、関連する偏波に関してそれぞれより近くに位置する給電点(3a,3b;3c,3d)は、それぞれ接続ライン(19,119)を介して互いに接続され、好ましくは合流点(21,121)を介して関連する給電ライン(31,331)に共通接続される請求項１〜８の何れか１項に記載の二重偏波アンテナアレイ。
【請求項１０】  それぞれ二つの給電点(13')を有する少なくとも二つのパッチ放射器(15')を備えたアンテナアレイの場合に、共通に接続される給電点(3a,3b;3c,3d)に対して関連するパッチ放射器(15')のそれぞれさらなる給電点(3'a,3'b;3'c,3'd)は、移相機(27',127')の別の入力端子(27'a,27'b,127'a,127'b)に接続される請求項９に記載の二重偏波アンテナアレイ。
【請求項１１】  補整放射器装置又は補償放射器装置は、各偏波に関して二対の給電点(13')を備えた一つのダイポール正方形(15)又は一つのパッチ放射器(15')から構成され、補整放射器装置又は補償放射器装置のダイポール正方形(15)の互いに平行なダイポール(13)又はパッチ放射器(15')の一方の偏波に関して設けられた双方の給電点(13')は、移相機(27',127')の双方の入力端子に接続される請求項１〜６の何れか１項に記載の二重偏波アンテナアレイ。
【請求項１２】  放射器装置は、補整放射器装置又は補償放射器装置と並んで、一方の偏波に関して少なくとも一つの給電点(13')、好ましくは一方の偏波に関して二つの給電点(13')を備えた、好ましくは十字形又は十字状のダイポール及び／又はダイポール正方形の形態かつ／又はパッチ放射器の形態のダイポール構造体から構成される請求項１〜６の何れか１項に記載の二重偏波アンテナアレイ。
【請求項１３】  補整放射器装置又は補償放射器装置と並んで設けられるさらなる放射器装置は、同じ位相位置又は固定した前もって与えられた位相位置で互いに給電される、偏波毎に少なくとも二つのダイポール又はパッチ放射器の場合には少なくとも二つの給電点(13')を含む群放射器として構成される請求項１〜１２の何れか１項に記載の二重偏波アンテナアレイ。
【手続補正２】
【補正対象書類名】明細書
【補正対象項目名】０００８
【補正方法】変更
【補正の内容】
【０００８】
本発明は、予め選択可能な種々の下降角度に依存して下降角度を種々に調整できる二重偏波アンテナアレイにおいて、下降角度を種々調整する際に、＋４５度偏波及び−４５度偏波に対する個々の放射特性の離反移動を低減し又は完全に回避できる意外性を示す。
【手続補正３】
【補正対象書類名】明細書
【補正対象項目名】０００９
【補正方法】変更
【補正の内容】
【０００９】
本発明では、各例えば垂直配置で重なって配置され、二つの直角に重なって位置するほぼ＋４５度及び−４５度の偏波で放射し受信する放射器装置と並んで、付加的に補整装置を設けることにより前記課題を実現できる。本発明では、補整装置は、放射器若しくは放射器装置又は追加の放射器若しくは放射器配置を含み、その放射電磁界パターンがアンテナアレイの垂直放射電磁界パターンを下降する際に全体としてアジマス方向に互いに離反してずれるのではなく、これとは逆に相対的に移動される。従って、これにより、下降角度の傾斜が徐々に増大するにもかかわらず、即ち垂直放射電磁界パターンの下降が徐々に強くなるにもかかわらず、放射電磁界パターンのアジマス角度方向への水平成分の離反移動が最小化され又は阻止される全放射電磁界パターンが生ずる。それどころか、必要に応じて、＋４５度に関する偏波の−４５度への水平放射電磁界パターンの僅かに逆の位置変更を実現できる過補整装置を設けることができる。
【手続補正４】
【補正対象書類名】明細書
【補正対象項目名】００３７
【補正方法】変更
【補正の内容】
【００３７】
この場合にも、双方の中央の個々の又は複数のパッチ放射器１５'は、補償装置として役立ち、その際それぞれ対で協働する給電点３'ａ及び３ａ又は３ｂと３'ｂが、アンテナ内に配置される移相機構造体群により行われるアンテナの下降角度に依存する位相差で給電される。更に、移相機構造体群２７により可能な出力分配により補整度を調整し、微調整できる。
【手続補正５】
【補正対象書類名】明細書
【補正対象項目名】００３８
【補正方法】変更
【補正の内容】
【００３８】
図４に示す実施の形態は、図１又は図３の実施の形態と基本的に同じ原理に基づく。しかしながら、トラッキングの補整のために、この実施の形態では、下降角度に依存して放射電磁界パターンの水平な揺動を行う。追加の放射器要素２１５及び２１５'が使用される。図４による実施の形態では、それぞれ双方の直交する偏波の一方に関して対で協働すべき給電点１３'を有する４つのパッチ放射器１５'が使用される。対となって対向する給電点１３'は、それぞれ図１及び図３と同様に、そこに示す一番外側に位置するパッチ放射器１５'の場合、固定して共通に制御される。その際、それぞれ最上及び最下のパッチ放射器１５'の図４に示す給電点１３'は、適宜のライン４３及び４３'を介して、移相機構造体群２７''の入力端子２７''ａ及び２７''ｂと、また双方の中央の互いに隣接して位置するパッチ放射器１５'の平行な給電点１３'は、それぞれ分離されたライン１４３及び１４３'を介して別の移相機構造体群２７'の双方の入力端子２７'ａ及び２７'ｂに電気的に接続される。前記実施の形態は、その点では、図２により説明し且つ従来技術により公知であるアンテナアレイと同じであるが、図２とは異なり、ダイポール構造体ではなく、パッチ放射器の使用のもとで構成される。
【手続補正６】
【補正対象書類名】明細書
【補正対象項目名】００３９
【補正方法】変更
【補正の内容】
【００３９】
しかしながら、図４に示す実施の形態では、それぞれ移相機２７''のそれぞれの入力端子２７''ａ又は２７''ｂと、追加ライン４７.１及び４７.２を介して、付加的に設けられる十字形ダイポール２１５又はスリット放射器又はパッチ放射器２１５'への給電が制御される。これにより、この双方の追加の放射器２１５は、−ダイポール十字形として構成する場合−二つの水平に対して角度＋４５度に整列するダイポール放射器と、二つの水平に対して角度−４５度で整列するダイポール放射器１３を含む。しかしながら、ダイポール十字形２１５の代わりに、＋４５度及び−４５度の偏波を放射し且つ受信するために、給電点１３'を含む例えばパッチ放射器２１５'も使用できる。何れの場合も、これにより、アンテナアレイが、（＋４５度の偏波及び−４５度の偏波に関して）水平にずれて位置する各放射器１３及び水平にずれて位置する給電点１３'を含み、それにより他の説明した実施の形態と同様に、所望の補整作用を確実に実現できる。この実施の形態でも、追加の放射器２１５及び２１５'は、再び垂直な対称軸２４５に対して対称に配置される。
【手続補正７】
【補正対象書類名】明細書
【補正対象項目名】００４５
【補正方法】変更
【補正の内容】
【００４５】
このために、図５による実施の形態では、従来公知のアンテナアレイとは対照的に、垂直方向にのみ互いに重なって配置された（以下に十字放射器とも呼ばれる）十字形のダイポール構造体１１５又はパッチ放射器１１５'により、例えばアンテナアレイの中心にて垂直に互いに重なって配置された二つの十字放射器の代わりに、水平配置により配置された二つの補償アンテナ装置２１５又は２１５'を有する補償装置が設けられる。その際、双方の水平に対して＋４５度の角度にて平行に整列するダイポール放射器２０３ａ及び２０３ｂが、ライン２２３ａ及び２２３ｂを介して内側の移相機構造体群２７'の出力端子２７'ａ及び２７'ｂに接続される。補整放射器のダイポール十字形２１５又は対応するパッチ放射器２１５'のそれぞれ平行な図示の実施の形態では角度−４５度で整列するダイポールは、それぞれ対となって（即ち図５にて双方の上方及び双方の下方の放射器構造体に関して）、このために分離された移相機構造体群に接続される。同様に別体の移相機構造体群に接続される双方の追加の放射器装置２１５及び２１５'の各放射器の−４５度の整列に対しても適用できる。その際、構成は、その点では再び、別法として図１に示すような図５にて部分的に表わされた実施の形態に対して対称的に行なわれる。
【手続補正８】
【補正対象書類名】明細書
【補正対象項目名】００４７
【補正方法】変更
【補正の内容】
【００４７】
この場合も、十字形のダイポール構造体１１５の代わりに、図３に示すようなパッチ放射器１１５'を使用できる（図３に符号１５'で示す）。その際、図５によるアンテナアレイの場合には、図５とは異なり、追加の水平配置を備えた補整放射器２１５、２１５'が、十字形の放射器構造体（十字形又は正方形のダイポール構造体）により構成されるだけでなく、補整放射器として、図３又は図４に示すようにそれぞれ二対の給電点を備えたパッチ放射器も使用できる。双方の水平方向にずれて配置された放射器装置２１５及び２１５'を備えた図５に示す補整装置は、その点では、図４による補整装置と同様に構成される。
【手続補正９】
【補正対象書類名】明細書
【補正対象項目名】００４９
【補正方法】変更
【補正の内容】
【００４９】
その点では、図６は、適宜の実施の形態を示し、アンテナアレイは、基本的に、垂直配置により互いに重なって配置され、その際各平行な互いに整列するダイポール放射器１３が水平な側方配置を互いに有しない十字放射器１１５のみを含む。しかしながら、ダイポール十字形１３又は十字形状のダイポール構造体の代わりに、正方形のダイポール構造体（ダイポール正方形）又は対応するパッチ放射器１３'も使用できる。これら全ての例では、さらに同様に垂直に互いに重なって配置された放射器，放射器装置又は放射器群に対して追加の水平配置を備えた配置された補整又は追加の放射器４１５を設ける場合に、本発明を同様に実現できる。その際、この実施の形態では、垂直放射器４１５が重要であり、それぞれ垂直放射器４１５が対となって設けられ、垂直の整列によりそれぞれ一つの垂直放射器４１５が図６によるアンテナアレイの正面から見て垂直な対称面２４５に対して左に、また他の垂直放射器４１５が右に配置され、その際この双方の放射器が、関連する移相機構造体群２７'の双方の入力端子に接続される。更に、第二の対の垂直放射器４１６が備えられ、双方の関連する各垂直放射器は、垂直に整列して中央の垂直軸又は面２４５に対して対称に配置され、垂直に整列して第一の放射器対４１５の下方に見える。第二の垂直放射器４１５も、適宜のラインを介して関連する移相機構造体群１２７'と、即ち移相機構造体群１２７'の双方の関連する出力端子に接続され、それにより各放射器又はダイポール放射器が、−４５度の整列方向で給電される。この実施の形態も、さらにパッチ放射器４１５'及び４１６'により適宜に置換できる。